(57)【特許請求の範囲】
【請求項１】
窓部の上部に取り付けられる第１巻取部と、
該第１巻取部を巻取り及び巻戻し可能に回動させる駆動機構と、
前記窓部に一端が回動自在に取り付けられるアームと、
該アームの他端に取り付けられ、一定の回転方向に付勢力が働いている第２巻取部と、
前記第１巻取部及び前記第２巻取部との間に配設されるキャンバスと、
前記アームが前記第一巻取部側の前記窓部に対して角度を広げる方向へ付勢力が働き前記アームと前記窓部の間に設けられる付勢機構と、
前記アームを付勢力に抗して所定角度で係止するストッパ機構とを備え、
前記キャンバスの開動作は、前記駆動機構によって前記第１巻取部を巻戻し、前記アームの他端に取り付けられた前記第２巻取部が、前記アームの付勢力によって該アームと共に前記窓部に対して回動し、ストッパ機構によって任意の位置で係止されて前記キャンバスを開き、前記第１巻取部を巻戻し及び前記第２巻取部の巻取りによって前記キャンバスの生地を調整し、
該キャンバスの閉動作は、前記アームの付勢力及び前記第２巻取部の巻取る力よりも大きな力で、前記駆動機構によって前記第１巻取部の巻取りを行うことで前記キャンバスを閉じることを特徴とするオーニング装置。
【請求項２】
前記第１巻取部の前記駆動機構は、モータ若しくはギア機構を用いて巻取り及び巻戻しを行うことを特徴とする請求項１に記載のオーニング装置。
【請求項３】
前記キャンバスは、複数の柄パターン若しくは複数の異なる生地を有することを特徴とする請求項１または請求項２に記載のオーニング装置。
【請求項４】
前記ストッパ機構は、前記窓部及び前記アームの一端との間に配設され、複数の係止孔が設けられ、前記係止孔にピンを挿入することで前記アームの付勢力方向を係止することを特徴とする請求項１乃至請求項３のいずれか一項に記載のオーニング装置。
【請求項５】
窓部の上部に取り付けられる第１巻取部と、
該第１巻取部を巻取り及び巻戻し可能に回動させる駆動機構と、
前記窓部に一端が回動自在に取り付けられるアームと、
該アームの他端に取り付けられ、一定の回転方向に付勢力が働いている第２巻取部と、
前記第１巻取部及び前記第２巻取部との間に配設されるキャンバスと、
前記アームが前記第一巻取部側の前記窓部に対して角度を広げる方向へ付勢力が働き前記アームと前記窓部の間に設けられる付勢機構と、
前記アームには全開時に前記窓部と当接し、前記アームを付勢方向で係止する屈曲部とを備え、
前記キャンバスの開動作は、前記駆動機構によって前記第１巻取部を巻戻し、前記アームの他端に取り付けられた前記第２巻取部が、前記アームの付勢力によって該アームと共に前記窓部に対して回動し、前記屈曲部によって予め設定した角度で係止されて前記キャンバスを開き、前記第１巻取部を巻戻し及び前記第２巻取部の巻取りによって前記キャンバスの生地を調整し、
該キャンバスの閉動作は、前記アームの付勢力及び前記第２巻取部の巻取る力よりも大きな力で、前記駆動機構によって前記第１巻取部の巻取りを行うことで前記キャンバスを閉じることを特徴とするオーニング装置。
【発明の詳細な説明】
【技術分野】
【０００１】
本発明は、建物等の窓部に対して取り付けられ、日よけ用に開閉を行うオーニング装置に関するものである。
【背景技術】
【０００２】
従来、日よけ用オーニング装置は、窓枠に対して取り付けられた巻取部と、窓枠の幅方向の両端に取り付けられた一対の支柱と、この支柱に対して回動自在に結しているアームと、アームの先端に取り付けられアーム間を結ぶ張出用バーと、巻取部及び張出用バーの間に配設されたキャンバスとで構成されたオーニング装置が、特許文献１に開示されている。この特許文献１に示されるオーニング装置は、張出用バーがアームの移動に合わせて動き、キャンバスを引っ張ることにより、キャンバスは開く構成となっている。
【先行技術文献】
【特許文献】
【０００３】
【特許文献１】特開２００６−３７５１２号公報（第１頁、図１）
【発明の概要】
【発明が解決しようとする課題】
【０００４】
上記した特許文献１に示されるオーニング装置では、キャンバスを開く構造が一方は巻取りのみであり、他方は引張りのみの構造であるから、キャンバスの位置を自在に調整することが困難である。また、巻取部にはキャンバスを巻き戻す巻き戻し機構がなく、キャンバスを開く際には、アームでの窓枠に対しての角度調整が必要となり、高所等の場所に取り付けを行う場合には円滑かつ安全な取り付けが困難である。更に、巻取部が１つであるため、キャンバスにかかる力はキャンバスを十分に張った状態で所定開度まで張出用バーを回動させて固定し、開状態とすることが必要となる。また、キャンバスを開いた状態ではキャンバスの生地の使用面の位置は固定となるため、キャンバスは局部的な摩耗を引き起こし易くなる。
【０００５】
そこで、本発明は、張った状態を維持したキャンバスの使用面の位置を自由に調整することが可能なオーニング装置を提供すること、また、円滑な開閉動作が行えるオーニング装置を提供することである。
【課題を解決するための手段】
【０００６】
上記した課題を解決するために講じた手段は、窓部の上部に取り付けられる第１巻取部と、第１巻取部を巻取り及び巻戻し可能に回動させる駆動機構と、フレームに一端が回動自在に取り付けられるアームと、アームの他端に取り付けられ、一定の回転方向に付勢力が働いている第２巻取部と、第１巻取部及び第２巻取部との間に配設されるキャンバスと、アームが第一巻取部側の窓部に対して角度を広げる方向へ付勢力が働きアームと窓部の間に設けられる付勢機構と、アームを付勢力に抗して所定角度で係止するストッパ機構とを備え、キャンバスの開動作は、駆動機構によって第１巻取部を巻戻し、アームの他端に取り付けられた第２巻取部が、アームの付勢力によってアームと共に窓部に対して回動し、ストッパ機構によって任意の位置で係止されてキャンバスを開き、第１巻取部を巻戻し及び第２巻取部の巻取りによってキャンバスの生地を調整し、の閉動作は、アームの付勢力及び第２巻取部の巻取る力よりも大きな力で、駆動機構によって第１巻取部の巻取りを行うことでキャンバスを閉じる構成となっている。
【０００７】
また、第１巻取部の回転動作は、モータ若しくはギアを用いた回転手段によって巻取り及び巻戻しを行うこととしても良い。
【０００８】
そして、キャンバスは、複数の柄のパターン若しくは複数の異なる生地を有する構成であっても良い。
【０００９】
更に、ストッパ機構は、窓部及びアームの一端との間に配設され、複数の係止孔が設けられ、係止孔にピンを挿入することでアームの付勢力方向を係止していると良い。
【００１０】
また、上記した課題を解決するために講じた手段は、窓部の上部に取り付けられる第１巻取部と、第１巻取部を巻取り及び巻戻し可能に回動させる駆動機構と、窓部に一端が回動自在に取り付けられるアームと、アームの他端に取り付けられ、一定の回転方向に付勢力が働いている第２巻取部と、第１巻取部及び第２巻取部との間に配設されるキャンバスと、アームが第一巻取部側の窓部に対して角度を広げる方向へ付勢力が働きアームと窓部の間に設けられる付勢機構と、アームには全開時に窓部と当接し、アームを付勢方向で係止する屈曲部とを備え、キャンバスの開動作は、駆動機構によって第１巻取部を巻戻し、アームの他端に取り付けられた第２巻取部が、アームの付勢力によってアームと共に窓部に対して回動し、屈曲部によって予め設定した角度で係止されてキャンバスを開き、第１巻取部を巻戻し及び第２巻取部の巻取りによってキャンバスの生地を調整し、キャンバスの閉動作は、アームの付勢力及び第２巻取部の巻取る力よりも大きな力で、駆動機構によって第１巻取部の巻取りを行うことでキャンバスを閉じる構成となっている。  
【発明の効果】
【００１１】
本発明によれば、オーニング装置は、第１巻取部に巻戻し及び巻取り機能を有し、第２巻取部に巻取り機能を有している。さらには、アームは窓部に対して角度を広げる方向に付勢力が働いている。このため、オーニング装置は、第１巻取部の巻戻しと第２巻取部の巻取り、アームの付勢力によって、キャンバスを送る力の方向が一定のためキャンバスを開動作は円滑になる。また、オーニング装置は、第１巻取部の巻戻しが上記した二つの力である第２巻取部の巻取り及びアームの付勢力よりも大きいため閉動作におけるキャンバスの巻取りも円滑に行うことができる。更に、開動作の際にストッパ構造によってアームが任意の位置に到達した時のキャンバスは、第１巻取部の巻戻しと第２巻取部の巻取りの関係から位置を調整することが可能である。これにより、キャンバスは、使用する面を調整することで局部的な摩耗を抑制することができ、キャンバスの耐久性を増すことが可能である。また、キャンバスの耐久性が増すことによって、使用者はキャンバスの取り替え作業を軽減できる。但し、第２巻取部の巻取り力よりもアームの付勢力が大きくなければならない。
【００１２】
このオーニング装置は、第１巻取部の駆動機構がモータによる電動若しくはギア等によるメカ機構でも、閉動作時の巻取り力が、第２巻取部の巻取り及びアームの付勢力よりも大きければ成立していれば、使用者が環境に合わせた駆動方法を選択してオーニング装置を使用できる。モータ及びギアによる回転動作は、巻取り及び巻戻しの両方向への力の調節が可能である。
【００１３】
このキャンパスは、１つの生地に複数の柄や濃淡の異なる色の組合せ等で構成してもよい。更に、キャンバスは、複数の異なる生地を繋ぎ合わせることで構成してもよい。これにより、キャンバスの生地若しくは柄パターンの性質によって、使用者が生活環境に合わせた組合せを選ぶことが可能となる。
【００１４】
更に、オーニング装置のストッパ機構は、アームの周方向に設けられた複数の係止孔に係止ピンを挿入することによって、使用者が任意の角度でアームを係止することができる。上記したストッパ構造は、窓部に取付けられており、アームを任意の位置を設定する動作は窓部付近で行えるため、高所等の場所においても安全にオーニング装置が使用できる。
【００１５】
また、ストッパ機構を有するアームは、窓部との回転中心付近に任意の角度で折り曲げられており、この折り曲げられた部分が窓枠と当接することでストッパの役割を担っている。使用者は、予め定められたアームを選択することで、必要な遮光等を行うためのキャンバスの角度を決めることになるが、ストッパ位置を選定する作業を簡素化することが可能となる。
【図面の簡単な説明】
【００１６】
【図１】本発明の実施例１に係わるオーニング装置の斜視図。
【図２】図１に示すオーニング装置の第１巻取部の断面の様子を示す説明図。
【図３】図１に示すオーニング装置の第２巻取部の斜視図。
【図４】図３に示す第２巻取部の様子を示す説明図。
【図５】図１に示すオーニング装置のストッパ機構の係止角が９０度の場合の要所部分拡大図。
【図６】図１に示すオーニング装置のストッパ機構の係止角が１３５度の場合の要所部分拡大図。
【図７】図１に示すオーニング装置のアームの付勢機構の状態を示した説明図であり、（ａ）アーム角度が１０度の場合、（ｂ）アーム角度が９０度の場合、（ｃ）アーム角度が１３５度の場合の説明図。
【図８】図１に示すオーニング装置のキャンバスが閉状態時の斜視図。
【図９】オーニング装置のキャンバス開状態時の状態説明図（１３５度の場合）。
【図１０】オーニング装置のキャンバス開状態時の状態説明図（キャンバスの半分が異なる生地の場合）。
【図１１】オーニング装置のキャンバス開状態時の状態説明図（キャンバスが完全に入れ替わる場合）。
【図１２】アームにストッパ機構を含むオーニング装置の閉状態の斜視図。
【図１３】図１２に示すオーニング装置の開状態の斜視図。
【図１４】図１２に示すオーニング装置にカバー部が取付けられた斜視図。
【図１５】図１３に示すオーニング装置にカバー部が取付けられた斜視図。
【発明を実施するための形態】
【００１７】
本発明の実施形態について、以下に説明する。
【実施例】
【００１８】
（実施例１）
以下、本発明の実施例１に係わるオーニング装置１の構成について、説明する。図１は、実施例１のオーニング装置１の斜視図を示している。
【００１９】
図１に示すように、オーニング装置１は、建物等の日光を取り入れる窓部２０の上部に、窓部２０と平行な状態で第１巻取部３０の両端が窓部２０の窓周囲２１の左右端に固定される支持体４０を介して配設されている。さらに、左右の窓部２０の下方には左右一対のアーム５０が窓周囲２１に取付けられている。アーム５０の一方は回動自在な状態で取付けられ、他方は、第１巻取部３０に対向するように第１巻取部３０と略長さが同じの第２巻取部６０が取付けられている。このアーム５０と窓部２０の接合部分は、アーム５０の上下方向の回動を所定角度で係止するストッパ機構７０が窓部２０に対して取付けられている。
【００２０】
第１巻取部３０及び第２巻取部６０には、複数の生地を縦列に結合した布製のキャンバス８０が後述する第２巻取部６０に設けられた巻取り機構によって常に張った状態を維持できる構成となっている。第１巻取部３０は、後述する駆動機構を用いて巻戻しおよび巻取りが可能である。第２巻取部６０は、内部に設けられるばね機構によってキャンバス８０の巻取り方向（図１に示す反時計方向）に常に付勢力が作用して、キャンバス８０の巻取りがばねの付勢力によって可能となっている。アーム５０はパイプ状の金属から成り、第１巻取部３０から第２巻取部６０が離間するようキャンバス８０を下方に引っ張る方向に付勢力が付与されている。図１に示す如く、キャンバス８０を開方向に開く場合は、第１巻取部３０の巻戻し（図１に示す反時計方向の回動動作）と第２巻取部６０の巻取り（図１に示す反時計方向の回動動作）は、アーム５０のばねによる付勢力によって行われる。この場合、第２巻取部６０のキャンバス８０を巻き取る力よりもアーム５０を下方に回動させる付勢力の方が大きく設定してある。このため、キャンバス８０を十分に張った状態を維持し続けたまま、アーム５０は下方に一点を中心として回動し、ストッパ機構７０にアーム５０の側面が係止される位置まで回動することができる。一方、キャンバス８０を図７の（ａ）の如く収納する場合には、第２巻取部６０のキャンバス８０を巻取る力及びアーム５０を下方に回動させる付勢力よりも第１巻取部３０の巻取る力、つまり、内部に設けられる駆動機構の出力の方が大きく設定することによって、キャンバス８０が巻き取られる閉状態とすることができる。
【００２１】
図１に示すように、キャンバス８０に複数の生地を用いる場合は、例えば、遮光生地とメッシュ生地の場合には、遮光生地は直射日光を室内に入れないため、家具や床等の色あせを防ぐ事が可能であり、メッシュ生地は、室内から屋外をみることができ、室内の圧迫感を軽減が可能となる。更に、このように二つの生地を合わせることにより、例えば、遮光生地及びメッシュ生地を同時に用いた場合は、室内の照度を確保しつつ直接的な室内への日射を軽減することができる。このとき、生地を縦列に結合しているために各生地の性質を有効に利用することができる。また、キャンバス８０の変形例として、１枚の布または樹脂製のシートを使用することも可能であり、この場合には日射を抑制するために上方の所定領域のみ下方に比べて濃い色を付けたり、模様や所定パターンあるいは柄をつけたりすることでも、上記と同様の効果が得られるのはいうまでもない。また、キャンバス８０は、日射による日ざしを抑えるためには、少なくとも２パターンの色（薄い色と濃い色、透明色と透明色より濃い色等）を有していれば良い。
【００２２】
次に、本発明に係わるオーニング装置１の第１巻取部３０について、図２を参照して説明する。
【００２３】
図２は図１に示すオーニング装置１における第１巻取部３０の断面の様子を示す説明図である。第１巻取部３０は図２に示す如く両持ちで支持され、一方が支持体４０ａに固定され、他方が回動自在に支持体４０ｂに支持される構成となっている。第１巻取部３０は、駆動機構の駆動源となる一端が固定されたモータ３１と、モータ３１の出力となり回転を行う回転部３２と、キャンバス８０を巻取り及び巻戻すために回転部３２に取付けられた筒状の第１ロール３３と、第１ロール３３と一体となって回転するシャフト３４と、シャフト３４に近設してキャンバス８０の端部を検知する検知部材３４とを備えている。このモータ３１は、第１巻取部３０を支持する支持体４０の一方の支持体４０ａに固定されており、モータ３１の回転部分は第１ロール３３が取付けられている。また、シャフト３４は、他方の支持体４０ｂに回動自在に支持されている。第１巻取部３０は、モータ３１の回転（正回転または逆回転）と同時に回転部３２が回転しこれにともなって第１ロール３３が回転することにより、キャンバス８０の巻取り及び巻戻しを行うことができる構成となっている。更に、第１ロール３３が一方向に回転することによりシャフト３４が回転するため、支持体４０ｂの固定側に設けられた検知部材３５は、シャフト３４の回転状態からキャンパス８０の巻き戻しや巻取りの端部を接触または非接触にて検知することができる。この検知部材３５は公知のものを用いており、詳細な説明は省略する。
【００２４】
次に、オーニング装置１における第２巻取部６０について、図３および図４を参照して説明する。図３は、オーニング装置１の第２巻取部６０の斜視図であり、図４は、図３に示す第２巻取部６０の断面の様子を示した説明図である。
【００２５】
図３に示す如く、第２巻取部６０は、断面コ字状を呈し一対のアーム５０の先端に固定され、両端が垂直方向に突出した細長い支持枠６４に、キャンバス８０を巻き取る中空状の第２ロール６１が回転可能に支持されている。第２ロール６１の回転軸となる第２ロール６１内部に軸部６２が設けられ、第２ロール６１と軸部６２の間には両端が第２ロール６１と軸部６２のそれぞれに係止されキャンバス８０を巻き取る付勢力を付与するスプリング６３が設けられている。図４に示すように第２ロール６２の中に配設されるスプリング６３は、一端が第２ロール６１、他方が軸部６２の途中の側壁にリベット等の取付手段６５を用いて取付けられ、軸部６２はねじ６６によって支持枠６４の両端で固定されている。このため、第２ロール６１が回転すると回転した分だけスプリング６３に付勢力が増大する。また、第２巻取部６０の巻き取り方向の付勢力は、キャンバス８０が引っ張られた状態で大きく、最大にキャンバス８０が開いた状態で最大となり、キャンバス８０を巻取るにつれて徐々に小さくなり、キャンバス８０が閉じた状態で最小となる。
【００２６】
次に、アーム５０を回転自在に支持およびアーム５０の回動を所定角度にて係止するストッパ機構７０について、図５および図６を参照して説明する。図５は、図１に示すオーニング装置１におけるストッパ機構７０の係止角９０度での状態を示し、図６はストッパ機構７０の係止角１３５度での状態を示した要所部分拡大図である。なお、係止角の角度は、アーム５０とアーム５０の取付けられた窓部（窓フレームでも可）２０及びキャンバス８０によって形成される三角形の内角のうち、窓部２０とアーム５０との成す角度と定義する。以下に示す角度は、この定義を意味するものとする。
【００２７】
図５に示すように、ストッパ機構７０は、１本のアーム５０を左右両側から挟み込むように金属製の２枚のプレート部材７１を設置し、アーム５０が回動する周方向にプレート部材７１を連通する複数の係止孔７２を周方向に複数（例えば、個数は限定されないものとするが、ここでは２つ）有している。係止孔７２に対し、外側より一端に頭部を有する係止ピン７３を挿入することにより、係止ピン７３の側面にアーム５０の側面が当接することによりアーム５０の回動を所定角度となるように規制することが可能である。図５および図６は、係止孔７２によってアーム５０の回動角度が９０度及び１３５度の場合について示している。図５は、アーム５０が水平である９０度となる位置にて係止孔７２をプレート部材７１に設けており、この係止孔７２の位置に係止ピン７３を挿入することによって、アーム５０の回動角度を係止している。図６も図５と同様に、アーム５０の回動角度が１３５度の位置となり、アーム５０の回動を係止できるように、１３５度となる係止孔７２に係止ピン７３を挿入することで図６の状態とすることができる。このように係止孔７２が複数設けられているために、様々な角度でのアームを係止することができ、使用者は、自分の好み若しくは用途に合わせた角度を自由に係止ピン７３の位置を変えて選定することが可能である。
【００２８】
次に、アーム５０の付勢機構９０について、図７を参照して説明する。図７は、アーム５０の付勢機構９０を説明する説明図である。（ａ）はアーム５０のアーム角度が１０度の場合を示し、（ｂ）はアーム５０角度が垂直（９０度）の場合、（ｃ）はアーム５０角度が１３５度の場合を示している。
【００２９】
図７に示すように、主にアーム５０の内部に設けられる付勢機構９０はコイル状の引張ばね９１が取付けられており、一方はアーム５０の第２巻取部６０側に、他方はワイヤー９２を介して回転軸９３に係止され取付けられている。更に、ワイヤー９２はストッパ機構７０との回転軸９３を介してストッパ機構７０を窓部２０に設置する設置部７４にねじ等の固定手段９４によって係止された状態で取付けられ、先端がく字状に屈曲しその屈曲部が平面状となった設置部７４と当接している。この場合、ワイヤー９２が回転軸９３を介して係止され引張ばね９１により引っ張られることで、ワイヤー９２はアーム５０の回動角度によって回転軸９３での張力が変化し、引張ばね９１の張力もこれに伴って変化する。図７の（ａ）〜（ｃ）に示すように、アーム５０の回動角度が広がるにつれて、回転軸９３とワイヤー９２の設置面積は次第に小さくなる。このため、アーム５０の回動角度が大きくなるとアーム５０内部の付勢機構９０の張力が弱まるので、アーム５０の付勢力も小さくなる。これにより、オーニング装置１の閉状態からの開状態の初動作は、この付勢機構９０の付勢力が最大からの動作となるため、開動作を円滑に行うことが可能となる。
【００３０】
次に、オーニング装置１の動作について、図８〜図１１を参照して説明する。図８は、オーニング装置１のキャンバス８０が閉状態の場合の斜視図を示す。図９は、オーニング装置１のキャンバス８０が全開状態の場合の斜視図を示している。また、図１０は、キャンバス８０が全開状態の場合においてキャンバス８０の上下方向の半分が異なる生地を用いた場合の斜視図を示す。更に、図１１は、キャンバス８０が全開状態の場合にキャンバス８０の生地が完全に入れ替わる場合の斜視図を示す。図８〜図１１のアーム５０の角度は１３５度まで開くことが可能である。
【００３１】
図８に示す如く、オーニング装置のキャンバス８０が閉状態の場合では、キャンバス８０は、第１巻取部３０側に最も巻き取られている。一方、第２巻取部６０は、キャンバス８０の下方の端部との接合面が外見から露出するようにすることも可能である。この状態では、第２巻取部６０は、キャンバス８０を第１巻取部３０により巻き取られているために、第２巻取部６０の巻取り方向の付勢力（図８の反時計方向）は最大となり、付勢機構９０によりアーム５０に作用する付勢力も最大となる。この時、第１巻取部３０の内部に設けられるモータ３１によって、第１巻取部３０の巻取方向への力は、第２巻取部６０の巻取り方向への付勢力とアーム５０の付勢力よりも大きい力としているため、上記２つの力が最大となっても、開状態への動作は規制され行われない。キャンバス８０の閉状態から開状態に移る際は、第１巻取部３０のモータ３１によって巻戻し（図８に示す反時計方向の回転）が行われることで、アーム５０が付勢機構９０の付勢力によって移動するため、図９に示すように弛みなくキャンバス８０を十分に張ったまま状態で開動作が行われる。この開動作においては、アーム５０の側面がストッパ機構７０に挿入された係止ピン７３の位置によって係止されるまでは、第２巻取部６０での巻取りは行われない。これは、第２巻取部６０の巻取り方向の付勢力に比べてアーム５０の付勢力が大きいために、キャンバス８０は、第２巻取部６０に巻き取られること無く、アーム５０が係止される位置まで張ったままの状態を継続することができる。アーム５０が係止ピン７３による係止後に、再び第１巻取部３０が巻戻し動作を行うと、キャンバス８０は第２巻取部６０の付勢力によって巻き取られる。第２巻取部６０がキャンバス８０を巻き取った際、キャンバス８０が異なる生地で縦列に結合されている場合は、図１０に示すようにキャンバス８０を異なる生地を同時に使用することができ、使用者は、自分の好み若しくは用途に合った使用が可能となる。更に、キャンバス８０の生地の境目は、使用者の任意の位置に設定することは、モータ３１による巻取り量を変えれば可能となる。また、図１１に示すように第２巻取部６０が巻取り動作を継続すると、キャンバス８０は最初の生地とは異なる生地のみとすることも可能である。図９〜図１１までの動作の際は、モータ３１が巻取り動作を行わない限り、アーム５０には常に反時計方向、即ち、アーム５０の回動角度が大きくなる方向に付勢力が働き、係止ピン７３によるストッパ機構７０の係止位置から移動することは無いため、円滑な開動作が行われる。開状態から閉状態への動作は、上記した第１巻取部３０の巻取り力と第２巻取部６０の巻取り方向への付勢力及びアーム５０の付勢力との力関係により、キャンバス８０が第２巻取部６０から第１巻取部３０へ巻き取られ、その後にアーム５０が移動することによって行われる。
【００３２】
（実施例２）
以下、本発明の実施例２に係わるオーニング装置１の構成について図１２〜図１５を参照して説明する。図１２は、アーム５０にストッパ機構７０を含むオーニング装置１の閉状態の斜視図を示し、図１３は図１２に示されたオーニング装置１の開状態の斜視図を示している。図１４は図１２に示すオーニング装置１の上方にカバー部１００が取付けられた斜視図を示し、図１５は図１３に示すオーニング装置１にカバー部１００が取付けられた斜視図を示している。
【００３３】
図１２、図１３に示すように、実施例２の構成は実施例１の構成と同様であり同じ構成については説明を割愛する。第１実施例と異なる点はアーム５０に窓部２０との接合部が任意の角度で曲げられた屈曲部５１を設けたことが主に異なる。このような構成とすることで、キャンバス８０が閉状態から開状態になった際に屈曲部５１が窓部２０と当接するため、アーム５０は設定された角度で係止される。従って、オーニング装置１は、予め設定した角度でアーム５０を係止するため、ストッパ機構７０の簡素化を行うことができる。また、この第２巻取部６０は、支持枠６４を介さずに軸部６２の両端をアーム５０に接合している。なお、このアーム５０は、プレート部材７１に取付けられた回転軸９３によって窓部２０に対して回動自在に取付けられている。
【００３４】
図１４、図１５では、オーニング装置１には、窓部２０にカバー部１００が取付けられている。このカバー部１００は、第１巻取部３０及び支持体４０が収納されている第１カバー部１０１と、第２巻取部６０が収納されている第２カバー部１０２とで構成されている。この第１カバー部１０１は、上面が第一巻取部の全体を覆うベースカバー１０３と、ベースカバー１０３の側面を覆う側壁カバー１０４とで構成されている。ベースカバー１０３は、屈曲している両端に側壁カバー１０４を嵌合することによって、窓部２０に取付けることが可能となる。更に、ベースカバー１０３は、窓部２０と対向側に開口部１０５を設けており、この開口部１０５に第２カバー１０２を収納する。また、側壁カバー１０４は、窓部２０に取付けられた支持体４０を覆うような形状となっている。また、第２カバー部１０２は、第２巻取部６０に固定されており、開状態時にはアーム５０が回動すると同時に移動し、閉状態時には、ベースカバー１０３の開口部１０５へ介装される。これにより、第１巻取部３０と第２巻取部６０とキャンバス８０は、カバー部１００に収納される。これにより、オーニング装置１の外観の美観を高め意匠性を高めることができ、風雨による水やゴミによって引き起こされるモータ３１の故障等を軽減することが可能となる。
【００３５】
以上、実施例１と実施例２の構成について説明したが、本発明はこれに限定されるものではなく、以下に示す態様に変更してもよい。
【００３６】
・第１巻取部３０の駆動機構であるモータ３１は、ギア機構によって巻取り及び巻戻しを行う構造としても良い。この際、ギア機構の巻取り力は、第２巻取部６０の巻取り力とアーム５０の付勢力よりも大きな力になるようにする。
【００３７】
・第２巻取部６０が、電動での巻取り構造としても良い。この様な構成としても、オーニング装置１は第１巻取部３０の開閉動作と同時に第２巻取部６０の巻取り動作を制御することで、キャンバス８０を張った状態で保持しつつ生地の調整を行うことが可能となる。
【００３８】
・第１カバー部１０１と第２カバー部１０２の間にシール構造を形成しても良い。これにより、オーニング装置１は、風雨による水やゴミによって引き起こされるモータ３１の故障等の軽減効果を増すことが可能となる。
【００３９】
・実施例２に記載されたカバー部１００は、実施例１のオーニング装置１に取付けられていても良い。この場合、実施例２と取付ける構造は同様であるため、取付け後に得られる効果も同様に外観の美観を高め、モータ３１の故障等を軽減することが可能である。
【００４０】
・実施例１及び実施例２のアーム５０の回転軸９３を有するストッパ機構７０若しくはプレート部材７１には、挟み込みを防止するカバーを取り付けると良い。アーム５０の回転軸９３は窓部２０に近く、使用者がアーム５０とストッパ機構７０若しくはプレート部材７１の間に指等を挟まれるおそれがあるため、カバーを取付けることで防止することが可能となる。
【００４１】
・実施例１、実施例２ではアーム５０が上下方向に窓部２０に対して回動するようにしたが、アームを途中で分割するか、若しくは、く字状にして左右のアーウを内側に折りたたむ形状として、窓部２０の左右方向にそれぞれのアームを取付け、左右両側の折りたたまれたアームをスプリングの付勢力を利用して窓部２０から外側に所定量だけ突出させることにより、アーム間に設けられたキャンバス８０が実施例１に示す第１巻取部３０るいは第２巻取部６０により、十分に張られた構成とすることも可能である。
【符号の説明】
【００４２】
１  オーニング装置
２０  窓部
３０  第１巻取部
３１  モータ（駆動機構）
５０  アーム
５１  屈曲部
６０  第２巻取部
７０  ストッパ機構
７２  係止孔
７３  係止ピン
８０  キャンバス
９０  付勢機構
【図１】
0005556127.tif 000002
【図２】
0005556127.tif 000003
【図３】
0005556127.tif 000004
【図４】
0005556127.tif 000005
【図５】
0005556127.tif 000006
【図６】
0005556127.tif 000007
【図７】
0005556127.tif 000008
【図８】
0005556127.tif 000009
【図９】
0005556127.tif 000010
【図１０】
0005556127.tif 000011
【図１１】
0005556127.tif 000012
【図１２】
0005556127.tif 000013
【図１３】
0005556127.tif 000014
【図１４】
0005556127.tif 000015
【図１５】
0005556127.tif 000016